(57)【特許請求の範囲】
【請求項１】
上顎歯列模型が、当該上顎歯列模型の歯列部の端面が当接するように、載置される面が球状凹面となる基準板と、
前記基準板の球状凹面の最下点に対応した位置にて前記上顎歯列模型の左右方向となるべき方向に延びる軸を中心にして当該基準板を搖動自在に支持する基準板支持機構と、
前記軸を中心にして搖動されて傾いた状態で前記基準板支持機構により支持された前記基準板の当該傾き状態を維持させる傾き維持機構とを有する上顎歯列模型調整器。
【請求項２】
前記基準板と一体となり、当該基準板の上方に位置するように前記上顎歯列模型を支持し、前記上顎歯列模型の支持の解除が可能な上顎歯列模型支持機構を有する請求項１記載の上顎歯列模型調整器。
【請求項３】
前記上顎歯列模型支持機構は、前記上顎歯列模型の切歯乳頭に対応する位置を支持する支持ピンと、
前記上顎歯列模型の左右のハミュラーノッチに対応する位置を支持する支持バーとを有する請求項２記載の上顎歯列模型調整器。
【請求項４】
個体の上顎と下顎との咬合平面とフランクフルト平面とのなす角度を測定する角度測定ステップと、
咬合器の下弓に設置される請求項１乃至３のいずれかに記載の上顎歯列模型調整器における前記基準板の傾きの角度が前記測定された角度となるように、前記軸を中心にして前記基準板を搖動させて傾かせた状態で維持させる基準板傾き設定ステップと、
前記咬合器の上弓に対する上顎歯列模型の前後方向の傾きが、前記測定された角度となる状態にて、前記咬合器の上弓に前記上顎歯列模型を設置する上顎歯列模型設置ステップと、
前記咬合器の前記上弓に設置された前記上顎歯列模型の歯列を前記基準板の球状凹面を基準にして調整する調整ステップとを有する上顎歯列模型調整方法。
【請求項５】
個体の上顎と下顎との咬合平面とフランクフルト平面とのなす角度を測定する角度測定ステップと、
咬合器の下弓に設置される請求項２または３記載の上顎歯列模型調整器における前記基準板の傾きの角度が前記測定された角度となるように、前記軸を中心にして前記基準板を搖動させて傾かせた状態で維持させる基準板傾き設定ステップと、
前記咬合器の上弓に対する上顎歯列模型の前後方向の傾きが、前記測定された角度となる状態にて、前記咬合器の上弓に前記上顎歯列模型を設置する上顎歯列模型設置ステップと、
前記咬合器の前記上弓に設置された前記上顎歯列模型の歯列を前記基準板の球状凹面を基準にして調整する調整ステップとを有し、
前記上顎歯列模型支持機構にて前記上顎歯列模型を支持した状態で、前記基準板の傾きの角度が前記測定された角度となるように、前記軸を中心にして前記基準板を搖動させて傾かせた状態で維持させ、その状態で、前記上顎歯列模型を前記咬合器の上弓に設置し、前記上顎歯列模型支持機構の前記上顎歯列模型の支持を解除させることにより、上記基準板傾き設定ステップと、前記上顎歯列模型設置ステップとを行う上顎歯列模型調整方法。
【発明の詳細な説明】
【技術分野】
【０００１】
本発明は、歯科医療患者の上顎の補綴物や義歯を製作する際に咬合器と共に用いられる上顎歯列模型調整器及び上顎歯列模型を調整する歯列模型調整方法に関する。
【背景技術】
【０００２】
上顎と下顎との適正な咬合が得られるように歯科用補綴物や義歯の構築や調整がなされる。その際に、咬合器と共に上顎歯列模型調整器が用いられる。本件特許出願の発明者は、既に、上顎歯列模型調整器を提案している（特許文献１参照）。この上顎歯列模型調整器は、上顎歯列模型が載置される面が球状凹面となった基準板を備えた構造となっている。このような上顎歯列調整器を利用することにより、人の上顎の歯列と同様、ある種の彎曲面（例えば、Spee彎曲やWilson彎曲）に沿って配列されるべき上顎歯列模型における補綴物や義歯の構築や診断等を前記球状凹面を基準にして行なうことができるようになるので、下顎運動において前歯部及び臼歯部に有害な側方圧がかからないように、上顎歯列模型の補綴物や義歯に対応した部分を容易に構築することができ、また、その適正な判断等を容易に行なうことができるようになる。
【先行技術文献】
【特許文献】
【０００３】
【特許文献１】特許第４４６８２４７号公報
【発明の概要】
【発明が解決しようとする課題】
【０００４】
ところで、個体（人）の上顎と下顎との咬合平面は、所定の基準平面、例えば、左右いずれかの眼窟下点（眼窟下孔）と外耳道上縁の３点を結んでできる平面であるフランクフルト平面を基準にして規定することができる。例えば、フェイスボウトランスファーの手法によって、頭の骨（フランクフルト平面）に対する上顎の相対的な位置関係（角度）を再現するように上顎歯列模型が咬合器の上弓に装着される。このようにして、上顎歯列模型を個体（人）の頭の骨（フランクフルト平面）に対する上顎の相対的な位置関係（角度）を再現するように咬合器に装着することができるものの、上述した従来の上顎歯列模型調整器では、前記上顎歯列模型の歯列の調整や診断の基準となる基準板の傾きを自由に調整することができないことから、各個体（人）に適した上顎歯列模型の調整や診断が難しい。
【０００５】
本発明は、このような事情に鑑みてなされたもので、各個体に適した上顎歯列模型の調整や診断が可能となる上顎歯列模型調整器を提供するものである。
【０００６】
また、本発明は、上記上顎歯列模型調整器を用いて、各個体に適した上顎歯列模型の調整が容易にできる上顎歯列模型調整方法を提供するものである。
【課題を解決するための手段】
【０００７】
本発明に係る上顎歯列模型調整器は、上顎歯列模型が、当該上顎歯列模型の歯列部の端面が当接するように、載置される面が球状凹面となる基準板と、前記基準板の球状凹面の最下点に対応した位置にて前記上顎歯列模型の左右方向となるべき方向に延びる軸を中心にして当該基準板を搖動自在に支持する基準板支持機構と、前記軸を中心にして搖動されて傾いた状態で前記基準板支持機構により支持された前記基準板の当該傾き状態を維持させる傾き維持機構とを有する構成となる。
【０００８】
このような構成により、基準板の球状凹面の最下点に対応した位置にて上顎歯列模型の左右方向となるべき方向に延びる軸を中心にして当該基準板が搖動することができ、また、その搖動によって傾いた状態で基準板が維持されるので、所定の基準平面（例えば、咬合器の上弓に対応）に対して所望の角度に傾かせた状態の基準板における球状凹面を基準にして上顎歯列模型の調整及び診断を行うことができるようになる。
【０００９】
特に、基準板の球状凹面の最下点に対応した位置にて上顎歯列模型の左右方向となるべき方向に延びる軸を中心にして当該基準板が搖動するので、その最下点を挟んだ当該球状凹面の前後方向の部分をバランスよく傾かせることができる。
【００１０】
本発明に係る上顎歯列模型調整器において、前記基準板支持機構により支持される前記基準板の傾き角度を表示する角度表示器を有する構成とすることができる。
【００１１】
このような構成により、搖動された基準板の傾き角度を明確に知ることができるので、当該基準板を所定の基準平面（例えば、咬合器の上弓に対応）に対して所望の角度に精度よく傾かせることができる。
【００１２】
また、本発明に係る上顎歯列模型調整器において、前記基準板と一体となり、当該基準板の上方に位置するように前記上顎歯列模型を支持し、前記上顎歯列模型の支持の解除が可能な上顎歯列模型支持機構を有する構成とすることができる。
【００１３】
このような構成により、上顎歯列模型が上顎歯列模型支持機構にて支持された状態で基準板を所定の基準平面（例えば、咬合器の上弓に対応）に対して所望の角度に傾かせると、上顎歯列模型も、前記所定の基準平面に対して所望の角度傾くようになる。
【００１４】
更に、本発明に係る上顎歯列模型調整器において、前記上顎歯列模型支持機構は、前記上顎歯列模型の切歯乳頭に対応する位置を支持する支持ピンと、前記上顎歯列模型の左右のハミュラーノッチに対応する位置を支持する支持バーとを有する構成とすることができる。
【００１５】
このような構成により、上顎歯列模型が、基準板の上方に位置するように、切歯乳頭に対応する位置で支持ピンにより、左右のハミュラーノッチに対応する位置で支持バーにてそれぞれ支持される。この状態で、基準板を所定の基準平面（例えば、咬合器の上弓に対応）に対して所望の角度に傾かせると、上顎歯列模型も、前記所定の基準平面に対して所望の角度傾くようになる。
【００１６】
本発明に係る上顎歯列模型調整方法は、個体の上顎と下顎との咬合平面とフランクフルト平面とのなす角度を測定する角度測定ステップと、上顎歯列模型の載置される面を有する基準板と、前記基準板の所定位置にて前記上顎歯列模型の左右方向となるべき方向に延びる軸を中心にして当該基準板を搖動自在に支持する基準板支持機構と、前記軸を中心にして搖動されて傾いた状態で前記基準板支持機構により支持された前記基準板の当該傾き状態を維持させる傾き維持機構とを有する上顎歯列模型調整器を用い、咬合器の下弓に設置される前記上顎歯列模型調整器における前記基準板の傾きの角度が前記測定された角度となるように、前記軸を中心にして前記基準板を搖動させて傾かせた状態で維持させる基準板傾き設定ステップと、前記咬合器の上弓に対する上顎歯列模型の前後方向の傾きが、前記測定された角度となる状態にて、前記咬合器の上弓に前記上顎歯列模型を設置する上顎歯列模型設置ステップと、前記咬合器の前記上弓に設置された前記上顎歯列模型の歯列を前記基準板の前記面を基準にして調整する調整ステップとを有する構成となる。
【００１７】
また、本発明に係る上顎歯列模型調整方法は、個体の上顎と下顎との咬合平面とフランクフルト平面とのなす角度を測定する角度測定ステップと、咬合器の下弓に設置される前述したいずれかの上顎歯列模型調整器における前記基準板の傾きの角度が前記測定された角度となるように、前記軸を中心にして前記基準板を搖動させて傾かせた状態で維持させる基準板傾き設定ステップと、前記咬合器の上弓に対する上顎歯列模型の前後方向の傾きが、前記測定された角度となる状態にて、前記咬合器の上弓に前記上顎歯列模型を設置する上顎歯列模型設置ステップと、前記咬合器の前記上弓に設置された前記上顎歯列模型を前記基準板の球状凹面を基準にして調整する調整ステップとを有する構成となる。
【００１８】
これらのような構成により、個体の上顎と下顎との咬合平面とフランクフルト平面とのなす角度が測定され、その測定された角度となるように咬合器の下弓に設置される上顎歯列模型調整器の基準板が傾かせられるとともに、前記咬合器の上弓に対する上顎歯列模型の前後方向の傾きが上記測定された角度となる状態で上顎歯列模型が当該咬合器の上弓に設置され、そして、その状態で、上顎歯列模型が基準板の球状凹面を基準にして調整されるので、基準板の傾きと、上顎歯列模型の傾きとの双方が、個体の上顎と下顎との咬合平面とフランクフルト平面とのなす角度に調整された状態で、前記上顎歯列模型を基準板の面あるいは球状凹面を基準にして調整できるようになる。
【００１９】
本発明に係る上顎歯列模型調整方法において、特に、前記基準板と一体となり、当該基準板の上方に位置するように前記上顎歯列模型を支持し、前記上顎歯列模型の支持の解除が可能な上顎歯列模型支持機構を有する上顎歯列模型調整器を用い、前記上顎歯列模型支持機構にて前記上顎歯列模型を支持した状態で、前記基準板の傾きの角度が前記測定された角度となるように、前記軸を中心にして前記基準板を搖動させて傾かせた状態で維持させ、その状態で、前記上顎歯列模型を前記咬合器の上弓に設置し、前記上顎歯列模型支持機構の前記上顎歯列模型の支持を解除させることにより、上記基準板傾き設定ステップと、前記上顎歯列模型設置ステップとを行う構成とすることができる。
【００２０】
このような構成により、上顎歯列模型支持機構にて上顎歯列模型が支持された状態で、基準板を前記測定された角度に傾かせることにより、基準板自体とともに、上顎歯列模型を前記測定された角度に傾かせることができるので、基準板を傾かせた状態で維持させる基準板傾き設定ステップと、上顎歯列模型の咬合器の上弓に対する傾きを前記測定された角度となるように上顎歯列模型を当該咬合器の上弓に設置する上顎歯列模型設置ステップとをより効率的に行うことができる。
【００２１】
また、本発明に係る上顎歯列模型調整方法において、前記角度測定ステップは、個体の頭部のＸ線規格写真画像から前記咬合平面と前記フランクフルト平面とのなす角度を測定する構成とすることができる。
【００２２】
このような構成により、個体の頭部のＸ線規格写真画像（セファロＸ線写真画像）から咬合平面とフランクフルト平面とのなす角度が測定されるので、フェイスボウトランスファーのような面倒な作業を要せず、その角度（数値）を容易に精度よく測定することができる。
【発明の効果】
【００２３】
本発明に係る上顎歯列模型調整器によれば、所定の基準平面（例えば、咬合器の上弓に対応）に対して所望の角度に傾かせた状態の基準板における球状凹面を基準にして上顎歯列模型の調整及び診断を行うことができるようになるので、咬合器において個体（人）の頭の骨（フランクフルト平面）に対する上顎の相対的な位置関係（角度）をより忠実に再現して、各個体に適した上顎歯列模型の調整や診断が可能になる。
【００２４】
また、本発明に係る上顎歯列調整方法によれば、咬合器に設置された上顎歯列模型調整器の基準板及び上顎歯列模型の双方の傾きが、測定された個体の上顎と下顎との咬合平面とフランクフルト平面とのなす角度に調整された状態で、前記上顎歯列模型を基準板の面を基準にして調整できるので、咬合器において個体（人）の頭の骨（フランクフルト平面）に対する上顎の相対的な位置関係（角度）をより忠実に再現して、各個体に適した上顎歯列模型の調整が容易にできるようになる。
【図面の簡単な説明】
【００２５】
【図１】本発明の実施の一形態に係る上顎歯列模型調整器を示す斜視図である。
【図２】図１に示す上顎歯列模型調整器を後ろ斜め下方から見た状態を示す図である。
【図３】図１に示す上顎歯列模型調整器を上方から見た状態を示す図である。
【図４】図１に示す上顎歯列模型調整器を前方から見た状態を示す図である。
【図５】図１に示す上顎歯列模型調整器を後方から見た状態を示す図である。
【図６】図１に示す上顎歯列模型調整器を左側方から見た状態を示す図である。
【図７】図１に示す上顎歯列模型調整器を右側方から見た状態を示す図である。
【図８】上顎歯列模型調整器における基準板の球状凹面と搖動支持バーとの関係を示す図である。
【図９Ａ】個体（人）の上顎と下顎との咬合状態（その１）を示す図である。
【図９Ｂ】個体（人）の上顎と下顎との咬合状態（その２）を示す図である。
【図１０】上顎歯列模型調整器における基準板の搖動状態を示す図である。
【図１１】上顎歯列模型調整器における基準板が傾斜した状態を示す図である。
【図１２】個体（人）の上顎と下顎との咬合平面とフランクフルト平面との関係を示す図である。
【図１３】咬合器の上弓にフランクフルト平面を合わせた場合の当該咬合器内での咬合平面の状態を示す図である。
【図１４】咬合器の下弓に図１に示す上顎歯列模型調整器をセットした状態を示す図である。
【図１５】上顎歯列模型調整器の支持ピンと支持バーにて上顎歯列模型をセットした状態の一例を示す図である。
【図１６】上顎歯列を内側から見た状態を示す図である。
【図１７】上顎歯列模型調整器及び上顎歯列模型の双方が装着された咬合器の一例を示す図である。
【発明を実施するための形態】
【００２６】
本発明の実施の形態について図面を用いて説明する。
【００２７】
本発明の実施の一形態に係る上顎歯列模型調整器は、図１乃至図７に示すように構成されている。なお、図１は上顎歯列模型調整器を示す斜視図であり、図２は上顎歯列模型調整器を後ろ斜め下方から見た図であり、図３は上顎歯列模型調整器を上方から見た図であり、図４は上顎歯列模型調整器を前方から見た図であり、図５は上顎歯列模型調整器を後方から見た図であり、図６は上顎歯列模型調整器を左側方から見た図であり、そして、図７は上顎歯列模型調整器を右側方から見た図である。
【００２８】
図１乃至図７において、上顎歯列模型調整器１００は、支持台１０の上に支持プレート１１が固定され、その支持プレート１１に対して基準板２０が搖動自在に支持される構造となっている。具体的には、支持プレート１１の前端部に断面コ字状のブラケット１３が固定され（特に図２、図４、図６及び図７参照）、基準板２０の裏面の所定位置に固定された搖動支持バー１２（特に図３及び図４参照）が、ブラケット１３によって搖動自在に支持されている。このようして、基準板２０は、支持台１０、支持プレート１１、搖動支持バー１２及びブラケット１３にて構成される基準板支持機構によって搖動支持バー１２の軸Ｌｓを中心にして搖動自在となるように支持されている。
【００２９】
支持台１０には、調整ダイヤル１６が設けられるとともに調整ダイヤル１６に結合した昇降機構（図示略）が設けられている。調整ダイヤル１６の回転操作に応じた昇降機構の動作により支持プレート１１、ブラケット１３及び搖動支持バー１２とともに基準板２０が昇降動するようになっている。支持プレート１１の左側面には、図６に示すように、指示針１７が垂下するように設けられており、支持台１０の対応する面には高さを表す目盛が設けられている。支持プレート１１と一体となって昇降動する指示針１７の先端に対応する目盛値によって、基準板２０の上下方向の位置を判断することができる。
【００３０】
基準板２０の裏面の右後方向所定位置に、角度指示プレート１４（角度表示器）が垂下するように固定されている（特に図２及び図７参照）。角度指示プレート１４には角度目盛が形成されている。ブラケット１３に搖動自在に支持される搖動支持バー１２の軸Ｌｓを中心にして搖動する基準板２０の搖動角度が、支持プレート１１の右側面に形成された指示線が指し示す角度指示プレート１４の目盛値として示される（図２及び図７参照）。
【００３１】
角度指示プレート１４には、基準板２０の搖動中心である搖動支持バー１２の軸Ｌｓを中心として弧を描くように弧状長孔１４ａが形成されている。角度指示プレート１４の弧状長孔１４ａを通って支持プレート１１の右側面にねじ込まれる固定ネジ１５が設けられている。固定ネジ１５にはフランジ１５ａが形成されており、固定ネジ１５を支持プレート１１にねじ込むことによりフランジ１５ａが角度指示プレート１４の弧状長孔１４ａの近傍部位を支持プレート１１の右側面に押し付けて、角度支持プレート１４の傾き状態、即ち、基準板２０の傾き状態が維持される（傾き維持機構）。
【００３２】
基準板２０は、前側部分の調整部２１と後側部分のスライド支持部２２とに分かれている。調整部２１は、上顎歯列の並びに対応したアーチ状の外形を有し（図３参照）、そのアーチ状の外形線の内側に上顎歯列模型を載置するための載置面２１ａが、後述するように球状凹面となって形成されている。スライド支持部２２の表面は平面状に形成され、右側部分に右スライドプレート３０ａが、左側部分に左スライドプレート３０ｂが、それぞれ前後方向に摺動自在に設けられている（図３参照）。右スライドプレート３０ａの前方外隅部には右支持ブロック３２ａが設けられるとともに、左スライドプレート３０ｂの前方外隅部に左支持ブロック３２ｂが設けられている。右支持ブロック３２ａには、基準板２０の左右方向（載置される上顎歯列模型の左右方向となるべき方向）の中心近傍まで横方向に延びる右支持バー３１ａが固定され、左支持ブロック３２ｂにも、基準板２０の左右方向の中心近傍まで横方向に延びる左支持バー３１ｂが固定されている。
【００３３】
右スライドプレート３０ａには、前後方向に延びる長孔（右長孔）３４ａが形成され、左スライドプレート３０ｂにも、前後方向に延びる長孔（左長孔）３４ｂが形成されている。右スライドプレート３０ａの右長孔３４ａを通って右固定ネジ３３ａがスライド支持部２２にねじ込まれており、左スライドプレート３０ａの左長孔３４ｂを通って左固定ネジ３３ｂがスライド支持部２２にねじ込まれている。右固定ネジ３３ａを緩めることにより、右スライドプレート３０ａが前後方向に摺動可能になり、右スライドプレート３０ａの前後方向の位置を調整することにより、右支持バー３１ａの前後方向位置を調整することができる。そして、右固定ネジ３３ａを締め付けることにより、右スライドプレート３０ａが固定され、右支持バー３１ａの前後方向位置が固定される。また、同様に、左固定ネジ３３ｂを緩めることにより、左スライドプレート３０ｂが前後方向に摺動可能になり、左スライドプレート３０ｂの前後方向の位置を調整することにより、左支持バー３１ｂの前後方向位置を調整することができる。そして、左固定ネジ３３ｂを締め付けることにより、左スライドプレート３０ｂが固定され、左支持バー３１ｂの前後方向位置が固定される。
【００３４】
なお、スライド支持部２２の表面には右スライドプレート３０ａに沿って位置を表す目盛が形成され、右スライドプレート３０ａに設けられた指示線が指し示す目盛値により右支持バー３１ａの前後方向の位置を判断することができる。また、同様に、スライド支持部２２の表面には左スライドプレート３０ｂに沿って位置を表す目盛が形成され、左スライドプレート３０ｂに設けられた指示線が指し示す目盛値によって左支持バー３１ｂの前後方向の位置を判断することができる。
【００３５】
基準板２０の調整部２１の左右方向の中心線Ｌｃ（図３参照）上における前方所定位置に雌ネジの形成されたスリーブ２４が基準板２０（調整部２１）を貫通するように埋め込まれている。スリーブ２４に雄ネジの形成された支持ピン２３が螺合している。支持ピン２３を回転させることにより、その回転方向に応じて支持ピン２３がスリーブ２４内を進退動して、基準板２０（調整部２１）の載置面２１ａから突没するようになる。そして、その回転量に応じて、支持ピン２３の基準板２０の載置面２１ａからの突出量を調整することができる。なお、支持ピン２３、右支持バー３１ａ及び左支持バー３１ｂによって後述するように上顎歯列模型を基準板２０上で支持することができ、これら支持ピン２３、右支持バー３１ａ及び左支持バー３１ｂによって上顎歯列模型を基準板２０の上方に位置するように支持する上顎歯列模型支持機構が構成される。なお、支持ピン２３（スリーブ２４）の位置は、当該基準板２０（調整部２１）に載置される上顎歯列模型の切歯乳頭（後述する図１６におけるＩＰの点参照）であるべき位置に対応するように決められる。
【００３６】
また、基準板２０の調整部２１の中心線Ｌｃ上におけるスライド支持部２２近傍の所定位置に正中基準ピン２５が着脱自在に設けられている。正中基準ピン２５は、調整部２１における載置面２１ａから突出しており、その先端に正中基準プレート２５ａが固定されている。
【００３７】
ところで、図９Ａに示すように、人（個体）の上顎ＭＸと下顎ＭＮとは、前歯部から臼歯部がある種の彎曲面Ｃ１（例えば、Spee彎曲）に沿って配列されるものであり、また、左右方向についても、図９Ｂに示すようにある種の彎曲面Ｃ２（例えば、Wilson彎曲）に沿って歯配列されるものである。相互に咬合すべき上顎ＭＸの歯列及び下顎ＭＮの歯列において前述したような彎曲形状が維持されていないと、下顎ＭＮの運動において前歯部及び臼歯部に有害な側方圧がかかるおそれがある。このことを前提に、下顎運動において前歯部及び臼歯部に有害な側方圧がかからないように上顎歯列模型の補綴物や義歯に対応した部分を調整したりその診断を可能にしたりするために、この上顎歯列模型調整器１００では、基準板２０の調整部２１の載置面１２ａが、図８に示すように、球状凹面として形成されている。具体的には、基準板２０（調整部２１）の左右方向の中心線Ｌｃ（図３参照）の鉛直上方所定位置に設定された点Ｏを中心に所定の半径ＳＲ（想定される上顎の大きさに応じて例えば、１２４ｍｍ、１００ｍｍ、８０ｍｍ等に設定される）の球状の凹面となるように調整部２１の載置面２１ａが形成されている。そして、その球状凹面の最下点ＰＬＷが、支持ピン２３の位置から後方に所定距離（例えば、半径ＳＲ＝１２４ｍｍの場合約１０ｍｍ、半径ＳＲ＝１００ｍｍの場合約８．５ｍｍ、半径ＳＲ＝８０ｍｍの場合約７ｍｍ）の位置になるように載置面２１ａ（球状凹面）の形状が決められる。
【００３８】
前述したように基準板２０の搖動中心となる搖動支持バー１２は、図８に示すように前記球状凹面（載置面２１ａ）の最下点ＰＬＷに対応した位置に、図３に示すように基準板２０の横方向（載置される上顎歯列模型の左右方向となるべき方向）に延びるように設けられている。そして、図１０に示すように、基準板２０は、搖動支持バー１２の軸Ｌｓを中心にして、基準板２０（＋）のように搖動して傾いた状態になり得る。このとき、上顎歯列模型調整器１００では、図１１に示すように、支持プレート１１の右側面に形成された指示線が指し示す角度指示プレート１４の目盛値によって基準板２０の傾き角度を判断することができる。そして、固定ネジ１５を締め付けることにより角度指示プレート１４が支持プレート１１に押え付けられて、基準板２０が角度指示プレート１４で指示された傾き角度の状態に維持される。
【００３９】
上述したような構造の上顎歯列模型調整器１００と咬合器とを用いて、例えば次のようにして上顎歯列模型の補綴物や義歯に対応した部分の調整や診断を行うことができる。
【００４０】
まず、個体（歯科治療患者）Ｈの顎部分を含む頭部のＸ線規格写真撮影（セファロＸ線写真撮影）を行う。そして、このＸ線規格写真撮影にて得られた、例えば、図１２に示すようなＸ線規格写真画像（セファロＸ線写真画像）において、個体Ｈの眼窩下点（眼窩下孔）と外耳道上縁を結んでできる平面であって、個体Ｈが直立した際に地表とほぼ平行になるとされるフランクフルト平面ＰＬＦＦと、個体Ｈの上顎と下顎との咬合平面ＰＬＯＣＣとのなす角度αが測定される。
【００４１】
咬合器２００は、例えば、図１３に示すように、支柱２１０と、支柱２１０の下端部に支柱２１０と直角に配置されるように形成された下弓２２０と、支柱２１０の上端部に軸２１１を中心に回動自在となるように設けられた上弓２３０とを有している。上弓２３０には上顎歯列模型を装着するためのマウント部（図示略）を固定するための上固定ネジ２３２が設けられている。上弓２３０の先端部には鉛直方向に延びるインサイザルピン２３３が固定され、インサイザルピン２３３の先端が下弓２２０の先端に設けられた受け部材２２１に当接するようになっている。また、下弓２２０の上面には、例えば、図１４に示すように、上顎歯列模型調整器１００を装着することができる。この上顎歯列模型調整器１００は、下固定ネジ２２２により下弓２２０に固定される。そして、咬合器２００において、上弓２３０は、下弓２２０と平行となるように調整されており、図１３に破線で示されるように、上弓２３０が個体Ｈのフランクフルト平面ＰＬＦＦに見立てられる。
【００４２】
次に、上顎歯列模型調整器１００において、固定ビス１５が緩められ、基準板２０の傾き角度（角度表示プレート１４に示される）が上記のように測定された角度αになるように、基準板２０を搖動支持バー１２の軸Ｌｓを中心に搖動させる（図１０参照）。そして、固定ビス１５を締め付けることにより、基準板２０が前記角度αをもって傾いた状態に維持される（図１１参照）。この状態で、図１５に示すように、支持ピン２３を基準板２０（調整部２１）の載置面２１ａから所定量だけ突出させて、図１６に示す上顎歯列模型５０の切歯乳頭に対応する部分ＩＰを支持ピン２３にて支持させ、更に、上顎歯列模型５０の右ハミュラーノッチに対応した部分ＨＮＲが右支持バー３１ａに支持されるとともに左ハミュラーノッチに対応した部分ＨＮＬが左支持バー３１ｂに支持されるように右スライドプレート３０ａ及び左スライドプレート３０ｂの前後方向の位置が調整される。このとき、上顎歯列模型５０の左右方向の中心線Ｌｍ（図１６参照）が正中基準ピン２５及び正中基準プレート２５ａに合致するように上顎歯列模型５０と右支持バー３１ａ及び左支持バー３１ｂとの位置合わせがなされる。
【００４３】
このようにして、上顎歯列模型５０が、切歯乳頭に対応した部分ＩＰ、両ハミュラーノッチに対応した部分ＨＮＲ、ＨＮＬが支持ピン２３、右支持バー３１ａ及び左支持バー３１ｂにて基準板２０の上方に支持された状態になる（図１５参照）。この状態で、上顎歯列模型５０の前後方向の傾きが、基準板２０の傾き（角度α）と同じになる。
【００４４】
なお、図１６に示す上顎歯列模型５０は、右中切歯ＣＩＲ、右側切歯ＬＩＲ、右犬歯ＣＲ、右第１小臼歯ＰＭＲ１、右第２小臼歯ＰＭＲ２、右第１大臼歯ＭＲ１、右第２大臼歯ＭＲ２、左中切歯ＣＩＬ、左側切歯ＬＩＬ、左犬歯ＣＬ、左第１小臼歯ＰＭＬ１、左第２小臼歯ＰＭＬ２、左第１大臼歯ＭＬ１及び左第２大臼歯ＭＬ２の全ての歯部がアーチ状に配列されたものある。しかし、上顎歯列模型５０は、個体Ｈ（歯科医療患者）の上顎に対応したものであって、一または複数の歯部が欠落したものであっても、更に、全ての歯部が欠落したものであってもよい。この場合であっても、切歯乳頭ＩＰが支持ピン２３に支持され、上顎歯列模型５０の左右方向に延びる直線ＬＨＮ上に並ぶ両ハミュラーノッチＨＮＲ、ＨＮＬが右支持バー３１ａ、左支持バー３１ｂに支持されるように上顎歯列模型５０が上顎歯列模型調整器１００にセットされ、当該上顎歯列模型５０の前後方向の傾きが基準板２０の傾き（角度α）と同じになる。
【００４５】
次に、上顎歯列模型５０のセットされた上顎歯列模型調整器１００を咬合器２００の下弓２２０に下固定ネジ２２２により固定する。そして、上顎歯列模型調整器１００の調整ダイヤル１６を回転させて基準板２０の高さを調整し、上顎歯列模型５０を上弓２３０の上固定ネジ２３２によって固定されるマウント部２３１（後述する図１７参照）に石膏等によって装着する。この状態で、支持ピン２３をスリーブ２４から除去するとともに、右固定ネジ３３ａ及び左固定ネジ３３ｂを緩めて右スライドプレート３０ａ及び左スライドプレート３０ｂを後方にスライドさせる。これにより上顎歯列模型５０の支持ピン２３、右支持バー３１ａ及び左支持バー３１ｂによる支持が解除される。その結果、上顎歯列模型５０と基準板２０とが同じ傾き（測定された角度α）にて、上顎歯列模型５０が咬合器２００の上弓２３０に、基準板２０（上顎歯列模型調整器１００）が咬合器２００の下弓２２０に設置された状態になる。
【００４６】
そして、上顎歯列模型調整器１００の調整ダイヤル１６を回転させて基準板２０を上昇させ、図１７に示すように、上顎歯列模型５０の歯列部の端面を基準板２０（調整部２１）の載置面２１ａに当接させる。なお、全ての歯部が欠落した上顎歯列模型５０の場合、上顎歯列模型５０と基準板２０（調整部２１）の載置面２１ａとの間に所定の隙間（補綴物や義歯等が形成されるべき隙間）が形成されるように基準板２０の高さ調整がなされる。
【００４７】
その後、咬合器２００の上弓２３０に設置された上顎歯列模型５０の歯列部分が、基準板２０（調整部２１）の球状凹面となる載置面２１ａを基準にして調整される。具体的には、上弓２３０に設置された上顎歯列模型５０全体の前後方向や左右方向の位置合わせをはじめ、各歯部の高さ（長さ）や傾きの調整、また、上顎歯列の前から見たところの左右のバランスの調整等の各種調整がなされる。更に、その球状凹面となる載置面２１ａを基準にして上顎歯列模型５０の歯列部分の診断を行うことができる。
【００４８】
上述したような上顎歯列模型調整器１００では、基準板２０（調整部２１）の球状凹面である載置面２１ａの最下点ＰＬＷに対応した位置にて上顎歯列模型５０の左右方向となるべき方向に延びる搖動支持バー１２の軸Ｌｓを中心にして当該基準板２０が搖動することができ、また、その搖動によって傾いた状態で基準板２０が維持されるので、咬合器２００の上弓２３０に対して所望の角度に傾かせた状態の基準板２０における球状凹面を基準にして上顎歯列模型５０の調整及び診断を行うことができるようになる。
【００４９】
特に、基準板２０の球状凹面となる載置面２１ａの最下点ＰＬＷに対応した位置にて搖動支持バー１２の軸Ｌｓを中心にして当該基準板２０が搖動するので（図１０参照）、その最下点ＰＬＷを挟んだ当該球状凹面の前後方向の部分をバランスよく傾かせることができる。
【００５０】
そして、個体Ｈの上顎と下顎との咬合平面ＰＬＯＣＣとフランクフルト平面ＰＬＦＦとのなす角度αが個体Ｈの顎部を含む頭部のＸ線規格写真画像（セファロＸ線写真画像）から測定され、その測定された角度αとなるように咬合器２００の下弓２２０に設置される上顎歯列模型１００の基準板２０が傾かされるとともに、咬合器２００の上弓２３０に対する上顎歯列模型５０の前後方向の傾きが上記測定された角度αとなる状態で上顎歯列模型５０が咬合器２００の上弓２３０に設置され、そして、その状態で、上顎歯列模型５０が基準板２０の球状凹面（載置面２１ａ）を基準にして調整される。従って、基準板２０の傾きと、上顎歯列模型５０の傾きとの双方が、個体Ｈの上顎と下顎との咬合平面ＰＬＯＣＣとフランクフルト平面ＰＬＦＦとのなす角度αに調整された状態で、上顎歯列模型５０を基準板２０の球状凹面を基準にして調整できるようになる。その結果、咬合器２００において個体Ｈ（人）の頭の骨（フランクフルト平面ＰＬＦＦ）に対する上顎の相対的な位置関係（角度α）をより忠実に再現して、各個体Ｈに適した上顎歯列模型５０の調整が容易にできるようになる。
【００５１】
なお、個体Ｈの咬合平面ＰＬＯＣＣとフランクフルト平面ＰＬＦＦとのなす角度αは、Ｘ線写真規格画像から測定されるだけでなく、他の手法によって測定されるものでもよい。
【００５２】
また、前述した上顎歯列模型の調整及び診断の例では、基準板２０（調整部２１）の載置面２１ａが球状凹面に形成され、その球状凹面の最下点ＰＬＷに対応する位置に配置される搖動支持バー１２の軸Ｌｓを中心に搖動して、基準板２０が傾斜した状態を維持できるようにした上顎歯列模型調整器が用いられたが、前記基準板２０が球状凹面ではなく、例えば、平面形状となり、その基準板の所定位置にて上顎歯列模型の左右方向となるべき方向に延びる軸を中心にして当該基準板が搖動自在となって、その基準板が傾斜した状態を維持できるような構造の上顎歯列模型調整器を用いることができる。
【産業上の利用可能性】
【００５３】
本発明に係る上顎歯列模型調整器は、各個体に適した上顎歯列模型の調整や診断が可能となるという効果を有し、また、本発明に係る上顎歯列調整方法は、その上顎歯列模型調整器を用いて、各個体に適した上顎歯列模型の調整が容易にできるという効果を有し、それぞれ、上顎歯列模型を構築、調整、診断等に用いられる上顎歯列模型調整器及びその上顎歯列模型を作る際の歯列模型調整方法として有用である。
【符号の説明】
【００５４】
１０  支持台
１１  支持プレート
１２  搖動支持バー
１３  ブラケット
１４  角度指示プレート
１４ａ  弧状長孔
１５  固定ネジ
１５ａ  押えフランジ
１６  調整ダイヤル
１７  指示針
２０  基準板
２１  調整部
２１ａ  載置面
２２  スライド支持部
２３  支持ピン
２４  スリーブ
２５  正中基準ピン
２５ａ  正中基準プレート
３０ａ  右スライドプレート
３０ｂ  左スライドプレート
３１ａ  右支持バー
３１ｂ  左支持バー
３２ａ  右支持ブロック
３２ｂ  左支持ブロック
３３ａ  右固定ネジ
３３ｂ  左固定ネジ
３４ａ  右長孔
３４ｂ  左長孔
５０  上顎歯列模型
１００  上顎歯列模型調整器
２００  咬合器
２１０  支柱
２１１  軸
２２０  下弓
２２１  受け部
２２２  下固定ネジ
２３０  上弓
２３１  上顎マウント部
２３２  上固定ネジ
２３３  インサイザルピン
【図１】
0006008357.tif 000002
【図２】
0006008357.tif 000003
【図３】
0006008357.tif 000004
【図４】
0006008357.tif 000005
【図５】
0006008357.tif 000006
【図６】
0006008357.tif 000007
【図７】
0006008357.tif 000008
【図８】
0006008357.tif 000009
【図９Ａ】
0006008357.tif 000010
【図９Ｂ】
0006008357.tif 000011
【図１０】
0006008357.tif 000012
【図１１】
0006008357.tif 000013
【図１２】
0006008357.tif 000014
【図１３】
0006008357.tif 000015
【図１４】
0006008357.tif 000016
【図１５】
0006008357.tif 000017
【図１６】
0006008357.tif 000018
【図１７】
0006008357.tif 000019